(57)【要約】  紐、コード、または他の種類のストランドに張力を提供するように設計されたテンショニングシステム用の位置感知アセンブリが開示される。テンショニングシステムは、中心軸および位置感知アセンブリの周りを回転するように構成されたリール部材を含む。位置感知アセンブリは、シャフトと、表示タブと、光感知ユニットとを含む。位置感知アセンブリは、ストランドが締め付けられ弛緩させられる程度を制御することを支援する。位置感知アセンブリは、ストランドの弛緩を意図するとき、ストランドを締め付けないようにする。
2019512316.tif 000002
【特許請求の範囲】
【請求項１】
アッパーと、
前記アッパーに取り付けられたソール構造と、
前記アッパーと前記ソール構造のうちの一方の内部に設けられたテンショニングシステムと、を備える履物品であって、
前記テンショニングシステムは、
中心軸周りに回転するように構成され、第１の端部から前記第１の端部に対向する第２の端部まで延びるシャフトを有するリール部材と、
前記シャフトの前記第２の端部から延びるとともに第１の組のねじ山を有するリードねじであって、前記中心軸周りに回転するように構成される、リードねじと、
前記リードねじが前記中心軸周りを回転するにつれて、当該リードねじに沿って当該リードねじの第１の位置から当該リードねじの第２の位置まで直線状に移動できるように、前記リードねじ上に装着される表示タブと、
前記リードねじに隣接して設けられ、前記第１の位置と前記第２の位置のうちの一方にある前記表示タブの位置を検出するように構成された光感知ユニットと、
を含み、
前記リール部材は、前記光感知ユニットによって検知された際の前記表示タブの位置に少なくとも部分的に基づいて、シャフト周りに紐を巻き付けることによって前記テンショニングシステムを締め付けるように構成される履物品。
【請求項２】
前記光感知ユニットは、
前記第１の位置にある前記表示タブを検出するように位置決めされた第１の光センサと、
前記第２の位置にある前記表示タブを検出するように位置決めされた第２の光センサと、
を備える、請求項１に記載の履物品。
【請求項３】
前記第１の光センサは、前記第２の位置にある前記表示タブを検出しないように位置決めされる、請求項２に記載の履物品。
【請求項４】
前記第２の光センサは、前記第１の位置にある前記表示タブを検出しないように位置決めされる、請求項３に記載の履物品。
【請求項５】
前記表示タブは、
前記表示タブを貫通し、前記リードねじの前記第１の組のねじ山と螺合する第２の組のねじ山を有する通路と、
前記通路から離反して延びるとともに、前記表示タブが前記第１の位置にあるときには前記第１の光センサによって検出され、かつ、前記表示タブが前記第２の位置にあるときには前記第２の光検出器によって検出されるように位置決めされる第１の部分と
を備える、請求項４に記載の履物品。
【請求項６】
前記表示タブは、前記通路から離反して前記第１の部分の反対側に延びる第２の部分を含む、請求項５に記載の履物品。
【請求項７】
ハウジングユニットの表面が前記表示タブの前記リードねじとの連れ回りを規制するように、前記第２の部分が前記表面に接触する、請求項５に記載の履物品。
【請求項８】
前記第１の光センサは、前記表示タブが前記第１の位置にあるときには前記第１の光センサが前記第２の部分を検出できるように位置決めされる、請求項７に記載の履物品。
【請求項９】
前記表示タブは、前記第１の位置にあるときには、前記リードねじの終端に配置されるとともに、前記表示タブは、前記第２の位置にあるときには、前記リードねじの前記終端よりも前記シャフトの前記第２の端部の近傍に配置される、請求項１から請求項８のいずれか一項に記載の履物品。
【請求項１０】
前記シャフトの前記第２の端部から最も遠い前記リードねじ上の地点に前記表示タブが配置されるときには、前記表示タブは、前記第１の位置にある、請求項１から請求項８のいずれか一項に記載の履物品。
【請求項１１】
前記シャフトの前記第２の端部に最も近い前記リードねじ上の地点に前記表示タブが配置されるときには、前記表示タブは、前記第２の位置にある、請求項１０に記載の履物品。
【請求項１２】
前記第１の位置は、前記テンショニングシステムが弛緩状態にあることを示すとともに、前記第２の位置は、前記テンショニングシステムが締め付け状態にあることを示す、請求項１から請求項８のいずれか一項に記載の履物品。
【請求項１３】
前記光感知ユニットは、前記第１の位置にある前記表示タブを検出するように位置決めされた第１の光センサを備える、請求項１から請求項８のいずれか一項に記載の履物品。
【請求項１４】
前記光感知ユニットは、前記第２の位置にある前記表示タブを検出するように位置決めされた第２の光センサを備える、請求項１から請求項８のいずれか一項に記載の履物品。
【請求項１５】
中心軸周りに回転するように構成されたリール部材であって、第１の端部から前記第１の端部に対向する第２の端部まで延びるシャフトを有する、前記リール部材と、
前記シャフトの前記第２の端部から延び、第１の組のねじ山を有するリードねじであって、前記中心軸周りに回転するように構成される、リードねじと、
前記リードねじが前記中心軸周りを回転するにつれて、前記リードねじに沿って前記リードねじ上の第１の位置から前記リードねじ上の第２の位置まで直線状に移動できるように、前記リードねじ上に装着される表示タブと、
前記リードねじに隣接して設けられ、前記第１の位置と前記第２の位置のうちの一方において前記表示タブの位置を検出するように構成された光感知ユニットと
を備え、
前記リール部材は、前記光感知ユニットによって検知された際の前記表示タブの位置に少なくとも部分的に基づいて、シャフト周りに紐を巻き付けることによって締め付けられるように構成される、
テンショニングシステム。
【請求項１６】
前記光感知ユニットは、
前記第１の位置にある前記表示タブを検出するように位置決めされた第１の光センサと、
前記第２の位置にある前記表示タブを検出するように位置決めされた第２の光センサと、
を備える、請求項１５に記載のテンショニングシステム。
【請求項１７】
前記第１の光センサは、前記第２の位置にある前記表示タブを検出しないように位置決めされる、請求項１６に記載のテンショニングシステム。
【請求項１８】
前記第２の光センサは、前記第１の位置にある前記表示タブを検出しないように位置決めされる、請求項１７に記載のテンショニングシステム。
【請求項１９】
前記表示タブは、
前記表示タブを貫通し、前記リードねじの前記第１の組のねじ山と螺合する第２の組のねじ山を有する通路と、
前記通路から離反して延びるとともに、前記表示タブが前記第１の位置にあるときには前記第１の光センサによって検出され、かつ、前記表示タブが前記第２の位置にあるときには前記第２の光検出器によって検出されるように位置決めされる第１の部分と
を備える、請求項１８に記載のテンショニングシステム。
【請求項２０】
前記表示タブは、前記通路から離反して前記第１の部分の反対側に延びる第２の部分を含む、請求項１９に記載のテンショニングシステム。
【請求項２１】
ハウジングユニットの表面が前記表示タブの前記リードねじとの連れ回りを規制するように、前記第２の部分が前記表面に接触する、請求項１９に記載のテンショニングシステム。
【請求項２２】
前記第１の光センサは、前記表示タブが前記第１の位置にあるときには前記第１の光センサが前記第２の部分を検出できるように位置決めされる、請求項２１に記載のテンショニングシステム。
【請求項２３】
前記表示タブは、前記第１の位置にあるときには、前記リードねじの終端に配置されるとともに、前記表示タブは、前記第２の位置にあるときには、前記リードねじの前記終端よりも前記シャフトの前記第２の端部の近傍に配置される、請求項１５から請求項２２のいずれか一項に記載のテンショニングシステム。
【請求項２４】
前記シャフトの前記第２の端部から最も遠い前記リードねじ上の地点に前記表示タブが配置されるときには、前記表示タブは、前記第１の位置にある、請求項１５から請求項２２のいずれか一項に記載のテンショニングシステム。
【請求項２５】
前記シャフトの前記第２の端部に最も近い前記リードねじ上の地点に前記表示タブが配置されるときには、前記表示タブは、前記第２の位置にある、請求項２４に記載のテンショニングシステム。
【請求項２６】
前記第１の位置は、前記テンショニングシステムが弛緩状態にあることを示すとともに、前記第２の位置は、前記テンショニングシステムが締め付け状態にあることを示す、請求項２５に記載のテンショニングシステム。
【請求項２７】
前記光感知ユニットは、前記第１の位置にある前記表示タブを検出するように位置決めされた第１の光センサを備える、請求項１５から請求項２２のいずれか一項に記載のテンショニングシステム。
【請求項２８】
前記光感知ユニットは、前記第２の位置にある前記表示タブを検出するように位置決めされた第２の光センサを備える、請求項２７に記載のテンショニングシステム。
【請求項２９】
リール部材のシャフトの第２の端部からリードねじを延ばすステップであって、前記リール部材は、中心軸周りに回転するように構成され、前記シャフトは、前記第２の端部に対向する第１の端部を有し、前記リードねじは、前記中心軸周りに回転するように構成され、かつ、前記リードねじは、前記中心軸周りを回転するよう構成される第１の組のねじ山と、前記リードねじが前記中心軸周りを回転するにつれて、当該リードねじに沿って当該リードねじの第１の位置から当該リードねじの第２の位置まで直線状に移動できるように、前記リードねじ上に装着される表示タブと、を含む、リードねじを延ばすステップと、
前記リードねじに隣接して、前記第１の位置と前記第２の位置のうちの一方において前記表示タブの位置を検出するように構成された光感知ユニットを設けるステップと、
を備え、
前記リール部材は、前記光感知ユニットによって検知された際の前記表示タブの位置に少なくとも部分的に基づいて、シャフト周りに紐を巻き付けることによってテンショニングシステムを締め付けるように構成される、方法。
【請求項３０】
前記光感知ユニットを設けるステップは、
前記第１の位置にある前記表示タブを検出する第１の光センサを位置決めするステップと、
前記第２の位置にある前記表示タブを検出する第２の光センサを位置決めするステップと、
を備える、請求項２９に記載の方法。
【請求項３１】
前記光感知ユニットを設けるステップは、前記第２の位置にある前記表示タブを検出しないように前記第１の光センサを位置決めするステップを備える、請求項３０に記載の方法。
【請求項３２】
前記光感知ユニットを設けるステップは、前記第１の位置にある前記表示タブを検出しないように前記第２の光センサを位置決めするステップを備える、請求項３１に記載の方法。
【請求項３３】
表示タブを延ばすステップが、
前記表示タブを貫通する通路の第２の組のねじ山を前記リードねじの前記第１の組のねじ山に螺合させるステップと、
前記表示タブが前記第１の位置にあるときには前記第１の光センサによって検出され、かつ、前記表示タブが前記第２の位置にあるときには前記第２の光検出器によって検出されるように、前記通路から離反して延びる、前記表示タブの第１の部分を位置決めするステップと、
を備える、請求項３２に記載の方法。
【請求項３４】
前記表示タブを延ばすステップは、前記第１の部分の反対側へ前記通路から離反するように、前記表示タブの第２の部分を延ばすステップを含む、請求項３３に記載の方法。
【請求項３５】
前記第２の部分を延ばすステップは、ハウジングユニットの表面が前記表示タブの前記リードねじとの連れ回りを規制するように、前記第２の部分が前記表面に接触するステップを含む、請求項３３に記載の方法。
【請求項３６】
前記第１の光センサを位置決めするステップは、前記表示タブが前記第１の位置にあるときには前記第１の光センサが前記第２の部分を検出できるように前記第１の光センサを位置決めするステップを備える、請求項３５に記載の方法。
【請求項３７】
前記光感知ユニットを設けるステップは、前記第１の位置にある前記表示タブを検出する第１の光センサを位置決めするステップを備える、請求項２９から請求項３６のいずれか一項に記載の方法。
【請求項３８】
前記光感知ユニットを設けるステップは、前記第２の位置にある前記表示タブを検出する第２の光センサを位置決めするステップを備える、請求項３７に記載の方法。
【請求項３９】
前記リードねじと、前記リール部材と、前記表示タブと、前記光感知ユニットとは、テンショニングシステムを形成するものであり、
アッパーをソール構造に固定し、前記アッパーと前記ソール構造のうちの少なくとも一方に対して前記テンショニングシステムを固定することによって、履物品を形成するステップと
をさらに備える、請求項２９から請求項３６のいずれか一項に記載の方法。
【請求項４０】
第１の端部から前記第１の端部に対向する第２の端部まで延びるシャフトを有するリール部材を、中心軸周りに回転するように回転させるステップと、
前記シャフトの前記第２の端部から延びるとともに第１の組のねじ山を有するリードねじに隣接して設けられた光感知ユニットによって、第１の位置と第２の位置との一方において表示タブの位置を検出するステップであって、前記リードねじは、前記中心軸周りに回転するように構成され、前記表示タブは、前記リードねじが前記中心軸周りを回転するにつれて、前記リードねじに沿って前記リードねじの第１の位置から前記リードねじの第２の位置まで直線状に移動できるように前記リードねじ上に装着された前記表示タブの位置を検出するステップと、
前記第１の位置と前記第２の位置のうちの一方において前記表示タブを検出したことに基づいて前記リール部材の回転を止めるステップと、
を備える、方法。
【発明の詳細な説明】
【技術分野】
【０００１】
本明細書で開示される発明は、一般に、テンショニングシステム用の位置感知アセンブリに関する。
【背景技術】
【０００２】
履物品は、一般に、２つの主要な要素、すなわち、アッパーとソール構造とを含む。アッパーは、足の周りを包んで足を受けるように構成された１つ以上の要素を含み得る。いくつかの実施形態において、アッパーは、足の甲とつま先にわたり、足の内側および外側側部に沿って、また足の踵の領域にわたって延びる構造を形成し得る。アッパーにはまた、紐、ストラップ、または他の部材などといった、靴の履き心地を調整するために使用可能な固定システムを組み込み得る。固定システムはまた、アッパー内の空隙から足を出し入れすることも可能にする。
【０００３】
本発明は、以下の図面および説明を参照することにより、よりよく理解し得る。図面の構成要素は必ずしも縮尺通りではなく、本発明の原理を説明することに重点を置いている。さらに、図面において、同様の参照符号は、異なる図を通して対応する部分を示す。
【図面の簡単な説明】
【０００４】
【図１】テンショニングシステムを含む履物品の例示的な実施形態の概略斜視図。
【図２】テンショニングシステムを含む履物品の例示的な実施形態の内側側部の概略図。
【図３】破線で履物品示したテンショニングシステムの例示的な実施形態の内側側部の概略図。
【図４】テンショニングシステムを含む履物品の例示的な実施形態の概略分解図。
【図５】リール部材を含むテンショニングシステムの例示的な実施形態の代表的な分解図。
【図６】テンショニングシステム内に含まれるリール部材の例示的な実施形態の概略拡大図。
【図７】テンショニングシステム内に含まれるリール部材の例示的な実施形態の断面図。
【図８】弛緩状態のテンショニングシステムの例示的な実施形態の代表図。
【図９】締め付け状態にあるテンショニングシステムの例示的な実施形態の代表図。
【図１０】表示タブが第１の位置にある位置感知アセンブリの上面図。
【図１１】表示タブが第２の位置にある位置感知アセンブリの上面図。
【図１２】表示タブが第１の位置にある位置感知アセンブリの正面図。
【図１３】位置感知アセンブリの側面図。
【図１４】例示的な実施形態において、テンショニングシステムおよび履物品の少なくともいずれか一方を製造するためのフローチャート。
【発明を実施するための形態】
【０００５】
例示的な方法およびシステムは、テンショニングシステム用の位置感知アセンブリに関する。各例は、あり得るバリエーションを単に表すものである。明示的に別段の定めがない限り、構成要素および機能は多様であり、組み合わせたり細分化したりすることができ、操作は順番が変わってもよく、組み合わせたり細分したりし得る。以下の説明では、説明のために、例示的な実施形態の完全な理解を提供するために多数の特定の詳細が示される。しかし、当業者には、本発明は、これらの特定の詳細のすべてがなくても実施され得ることが明らかであろう。
【０００６】
履物品には、従来、履物品を着用者の足に固定するために、例えば靴紐を手で結ぶなど、靴紐、または他の機構など、手作業を伴うレーシング機構が使用されてきた。しかし、モータ、トランスミッション、およびリールを利用して、靴紐、ケーブルなどを締め付ける代替の機構が開発されている。これらのようなモータ、トランスミッション、およびリールは、好適には、所望のパラメータ内で締め付け、弛緩させ得るものであり、例えば、履物品が着用されているときには、所望に締め付け、履物品を脱ぐときには、所望に緩める。緩み過ぎ締め付け過ぎは、着用中に不快感を与え得る。
【０００７】
しかし、モータやモータコントローラの少なくともいずれか一方は、モータが紐にどのような状態にしているかを必ずしも分かっているわけではない。例えば、モータコントローラがリセットされるか、さもなければ不確定状態になる場合、モータは、その状況下において、着用者の快適レベルを超えて紐を締め付けたり、弛緩させたりしようとする可能性がある。モータまたはモータコントローラは、生来的には、モータが所望のパラメータ内で紐を締め付けたり弛緩させたりするための物理的または光学的ブレーキを提供するシステムを所有していない。
【０００８】
テンショニングシステムを含む電動レーシングシステムを含む履物品が開発されている。テンショニングシステムは、紐用のリール部材に固定されたリードねじに取り付けられた表示タブを利用する。リードねじに沿った表示タブの位置は、リール上の紐の状態を示すものであり、ある位置ではリールが緊張していることを示し、別の位置では紐が弛緩していることを示す。光感知ユニットは、表示タブの位置を検出する。表示タブはモータの状態に左右されないので、表示タブは、リール上の実際の紐の状態を一貫して示し得る。
【０００９】
本実施形態は、紐、コード、または他の種類のストランドに張力を提供するように設計されたテンショニングシステム用の位置感知アセンブリに関する。例えば、図１および図３は、テンショニングシステム３００で構成された履物品１００の例示的な実施形態を示している。テンショニングシステムは、ストランドを締め付けたり弛緩させたりし得る。例えば、図面に示された例示的な実施形態において、テンショニングシステム３００は、レーシングシステム１３０の紐３４０を締め付けたり弛緩させたりし得る。紐３４０の締め付けおよび弛緩の機構の詳細は、図８から図１３に関して以下に説明される。テンショニングシステムは、ストランドの締め付けや弛緩の程度を制御することを支援する位置感知アセンブリを含み得る。図１０から図１３に関して以下により詳細に説明するように、そのような位置感知アセンブリは、ストランドが弛緩させられることを意図されているときには、ストランドの締め付けを防止し得る。
【００１０】
図面に示される例示的な実施形態は、位置感知アセンブリを有するテンショニングシステムで構成された履物品を含む。しかし、テンショニングシステムおよび位置感知アセンブリは、履物品以外の物品とともに使用されてもよいことが理解される。以下でさらに詳細に説明するように、テンショニングシステムは履物に限定されず、他の実施形態において、衣類、スポーツウェア、スポーツ用品および他の種類の衣服を含む様々な種類の衣服にテンショニングシステムを使用可能である。さらに他の実施形態において、テンショニングシステムは、医療用ブレースなどのブレースとともに使用され得る。
【００１１】
各図は、履物品とともに使用されるテンショニングシステムにどのように位置感知アセンブリを組み込むことができるかを示している。したがって、各図は、履物品、テンショニングシステム、および位置検知用アセンブリの機構を示す。より詳細には、図１および図２は、履物品１００の外観を示す。図３および図４は、位置感知アセンブリを含むテンショニングシステム３００が履物品１００とどのように相互に関連しているかを示している。図５は、両方とも履物品１００から分離されたテンショニングシステム３００およびレーシングシステム１３０の機構の詳細図を提供する。図６および図７は、テンショニングシステム３００のリール部材３１０の詳細を示す。図８および図９は、テンショニングシステム３００がいかにして、テンショニングシステム３００の紐３４０を締め付けたり弛緩させたりし、着用者が足の周りの履物品１００のアッパー１２０を締め付け、またアッパー１２０を弛緩させ、足を内側の空隙（即ち、スロート開口部１４０を通って）から出し入れすることを容易にすることができるのか、を示している。図１０から図１３は、光感知ユニット５２０がリードねじ６０５上に設けられた表示タブ５１０の位置をどのように検出するかを示す。表示タブ５１０の位置は、当該位置に関連する紐３４０の張力を示し得る。
【００１２】
また、本実施形態において、履物品１００は、運動靴の形態で示されている。しかし、他の実施形態において、テンショニングシステム３００は、非限定的に、ハイキングブーツ、サッカーシューズ、フットボールシューズ、スニーカー、ランニングシューズ、クロストレーニングシューズ、ラグビーシューズ、バスケットボールシューズ、野球用シューズ、ならびに他の種類の履物を含む、他のあらゆる種類の靴とともに使用し得る。いくつかの実施形態において、履物品１００は、限定されるものではないが、スリッパ、サンダル、ハイヒール、ローファー、および他のあらゆる種類の履物を含む、様々な種類の非スポーツ関連の履物とともに使用するように構成し得る。
【００１３】
参考のために、履物品１００は、図１および図２に示すように、前足領域１０と、中足領域１２と、踵領域１４との３つの一般領域に分割し得る。前足領域１０は、一般に、つま先と、中足骨を指骨に接続する関節とに対応する履物品１００の部分を含む。中足領域１２は、一般に、足のアーチ領域に対応する履物品１００の部分を含む。踵領域１４は、一般に、踵骨を含む足の後部に対応する履物品１００の部分を含む。履物品１００はまた、内側側部１６および外側側部１８をも含み、該内側側部１６および外側側部１８は、前足領域１０、中足領域１２、および踵領域１４のそれぞれにわたって延び、履物品１００に対し背中合わせに対応する。より具体的には、内側側部１６は、足の内側領域（すなわち、他方の足に向く表面）に対応し、外側側部１８は、足の外側領域（すなわち、他方の足の反対側に向く表面）に対応する。前足領域１０、中足領域１２、踵領域１４と、内側側部１６、外側側部１８とは、履物品１００の正確な領域を切り分けることを意図しない。むしろ、前足領域１０、中足領域１２、踵領域１４と、内側側部１６、外側側部１８とは、以下の説明の一助とするために履物品１００の一般領域を表すことを意図している。履物品１００に加えて、前足領域１０、中足領域１２、踵領域１４と、内側側部１６、外側側部１８とは、そのソール構造、アッパーおよび個々の要素に適用することも可能である。
【００１４】
一貫性と便宜のために、例示的な実施形態に対応するこの詳細な説明を通じて、方向性を示す形容詞も使用される。この詳細な説明および特許請求の範囲を通して使用される用語「側方」または「横方向」は、構成要素または要素の幅に沿って延びる方向を指す。例えば、履物品１００の横方向は、内側側部１６と外側側部１８との間に延び得る。さらに、この詳細な説明および特許請求の範囲を通して使用される用語「長手方向」は、要素または構成要素（ソール構造またはアッパーなど）の長さまたは幅を横切って延びる方向を指す。いくつかの実施形態において、履物品１００の長手方向は、前足領域１０から踵領域１４まで延び得る。これらの方向を表す形容詞の各々は、履物品の個々の構成要素、例えばアッパー構造やソール構造の少なくともいずれか一方にも適用できることが理解されよう。また、垂直方向とは、長手方向と横方向とがなす水平面に垂直な方向をいう。これらの方向を示す形容詞の各々は、履物品１００を含む実施形態に示された様々な構成要素に加えて、テンショニングシステム３００の構成要素にも適用され得ることが理解されよう。
【００１５】
いくつかの実施形態において、履物品１００は、ソール構造体１１０およびアッパー１２０を含み得る。一般に、アッパー１２０は、あらゆるタイプのアッパーであり得る。特に、アッパー１２０は、あらゆるデザイン、形状、サイズ、および色を有し得る。例えば、履物品１００がバスケットボールシューズである実施形態において、アッパー１２０は、足首に高い支持を提供するように成形されたハイトップアッパーであってもよい。履物品１００がランニングシューズである実施形態において、アッパー１２０は、ロートップアッパーであってもよい。
【００１６】
いくつかの実施形態において、ソール構造体１１０は、履物品１００に滑り止めを提供するように構成し得る。滑り止めを提供することに加えて、ソール構造体１１０は、歩行、ランニングまたは他の歩行活動の間に足と地面との間で圧縮されるときに地面からの反力を和らげ得る。ソール構造体１１０の構成は、様々な実施形態において、様々な従来の構造または新規な構造を含むように著しく差があってもよい。いくつかの場合において、ソール構造体１１０の構成は、当該ソール構造体１１０が使用され得る１つ以上のタイプの着地面に応じて構成され得る。地面の例には、天然芝、人工芝、土、および他の表面が含まれるが、これらに限定されない。
【００１７】
異なる実施形態において、ソール構造体１１０は異なる構成要素を含み得る。例えば、ソール構造体１１０は、アウトソール、ミッドソール、およびインソールの少なくともいずれか１つを含み得る。さらに、場合によっては、ソール構造体１１０は、地面に対し滑り止めとして作用する力を増加させるように構成された１つ以上のクリート部材または滑り止め要素を含み得る。
【００１８】
例示的な実施形態において、ソール構造体１１０は、アッパー１２０に固定され、履物品１００が着用されるときに足と地面との間で延びる。アッパー１２０は、ソール構造体１１０と連係し、足を受け入れて固定するための履物品１００内の内部空隙を形成する。空隙は、足を収容するように形作られるとともに、足の外側部に沿って足の甲を超え、足の内側部に沿い、踵の周りにわたり、足の下に延びる。アッパー１２０は、少なくとも踵領域１４に位置し、スロート開口部１４０を形成するカラーをも含み得る。アッパー１２０の内部空隙への着用は、スロート開口部１４０によって提供される。より詳細には、足はスロート開口部１４０を経由してアッパー１２０に挿入され、足はスロート開口部１４０を通ってアッパー１２０から抜き得る。
【００１９】
いくつかの実施形態において、履物品１００は、レーシングシステム１３０を含み得る。レーシングシステム１３０は、前方に延び、踵領域１４のカラーおよびスロート開口部１４０から、中足領域１２において足の甲に対応するレーシング領域１３２を越えて、前足領域１０に隣接する領域にまで至る。レーシング領域１３２は、アッパー１２０の両側において、外側縁部１３３と内側縁部１３４との間に延びる。レーシングシステム１３０は、履物品１００のアッパー１２０内に足を固定するように構成された様々な構成要素を含み、本明細書に図示され説明された構成要素に加えて、履物のアッパーに通常含まれる追加のまたはオプションの構成要素をさらに含み得る。
【００２０】
この実施形態において、複数のストラップ部材１３６が、レーシング領域１３２の部分を横切って延びている。テンショニングシステム３００（以下に詳細に説明する）とともに、複数のストラップ部材１３６は、足の比率に対応するように着用者がアッパー１２０の寸法を変更することを許容する。例示的な実施形態において、複数のストラップ部材１３６が、外側縁部１３３と内側縁部１３４との間のレーシング領域１３２を横切って横方向に延びる。以下にさらに説明するように、テンショニングシステム３００のストラップ部材１３６および紐３４０は、着用者が足の周りにアッパー１２０を締め付け、アッパー１２０を弛緩させて、内部空隙からの足の出し入れ（すなわち、スロート開口部１４０を通る）を容易にできるようにする。
【００２１】
いくつかの実施形態において、アッパー１２０は、履物品１００の快適性を高めるため、履物品１００内に設けられたときに着用者の足を覆って延びるタン１３８を含む。この実施形態において、タン１３８は、レーシング領域１３２を貫通し、アッパー１２０の対向する外側縁部１３３と内側縁部１３４との間の開口部内を動くことが可能である。場合によっては、タン１３８は、紐やストラップ部材１３６の間に延び、クッション性を提供し、紐やストラップ部材１３６によって着用者の足の頂部に加えられる張力を分散させ得る。この構成により、タン１３８は、履物品１００の快適性を高めることが可能である。
【００２２】
いくつかの実施形態は、履物品の着用者の足への調節を容易にするための手段を含み得る。該手段は、着用者の足の周りの履物品を締め付けたり弛緩させたりすることを含み得る。いくつかの実施形態において、これらの手段は、テンショニングシステムを含み得る。いくつかの実施形態において、テンショニングシステムは、テンショニング部材、レーシングガイド、テンショニングアセンブリ、ハウジングユニット、モータ、歯車、スプールもしくはリール、および電源のうち、少なくともいずれか１つを含むがこれらに限定されない他の構成要素をさらに含み得る。そのような構成要素は、張力の固定、調整、および、着用者の足に特化された収まりを与える一助となり得る。これらの構成要素、および、種々の実施形態において、履物品を着用者の足に固定し、張力を調節し、特化された収まりを与え得る方法について、以下にさらに詳細に説明する。
【００２３】
ここで図３を参照して、履物品１００は、テンショニングシステム３００の例示的な実施形態を含む。テンショニングシステム３００の実施形態は、いずれかの適切なテンショニングシステムを含み得る。該適切なテンショニングシステムは、「Ｍｏｔｏｒｉｚｅｄ  Ｔｅｎｓｉｏｎｉｎｇ  Ｓｙｓｔｅｍ」と題されているＢｅｅｒｓらの米国特許出願公開第２０１４／００６８８３８号明細書（２０１３年８月２０日に出願された現在の米国特許出願第１４／０１４，４９１号）と、「Ｍｏｔｏｒｉｚｅｄ  Ｔｅｎｓｉｏｎｉｎｇ  Ｓｙｓｔｅｍ  ｗｉｔｈ  Ｓｅｎｓｏｒｓ」と題されたＢｅｅｒｓの米国特許出願公開第２０１４／００７００４２号明細書（２０１３年８月２０日に出願された現在の米国特許出願第１４／０１４，５５５号）と、「Ｆｏｏｔｗｅａｒ  Ｈａｖｉｎｇ  Ｒｅｍｏｖａｂｌｅ  Ｍｏｔｏｒｉｚｅｄ  Ａｄｊｕｓｔｍｅｎｔ  Ｓｙｓｔｅｍ」と題されているＢｅｅｒｓの米国特許出願公開第２０１４／００８２９６３号明細書（２０１３年９月２０日に出願された現在の米国特許出願第１４／０３２，５２４号）（本明細書ではまとめて「自動レーシング事件」と呼ぶ）の１つ以上に開示されているシステムのいずれかを含み、これらは、参照によりその全体が本明細書に組み込まれる。
【００２４】
異なる実施形態において、テンショニングシステムは、テンショニング部材を含み得る。この詳細な説明および特許請求の範囲を通して使用される「テンショニング部材」という用語は、一般に、細長い形状および高い引張強度を有するなんらかの構成要素を指す。ある場合には、テンショニング部材は、一般に低い弾性をも有し得る。異なるテンショニング部材の例としては、紐、ケーブル、ストラップ、およびコードを含むが、これらに限定されない。場合によっては、テンショニング部材は、衣服や履物用品の少なくともいずれか一方を含む物品を締め付けるために使用し得る。他の場合には、テンショニング部材は、いくつかの構成要素またはシステムを作動させる諸目的のために、予め設定された位置において張力を加えるために使用し得る。
【００２５】
例示的な実施形態において、テンショニングシステム３００は、紐３４０という形態のテンショニング部材を含む。紐３４０は、アッパー１２０の内部空隙の寸法を手直しし、それにより、アッパー１２０を着用者の足の周りに締め付ける（または弛緩させる）ように構成される。一実施形態において、紐３４０は、レーシングシステム１３０の複数のストラップ部材１３６を動かし、レーシング領域１３２の対向する外側縁部１３３と内側縁部１３４を互いに近づけて、アッパー１２０を締め付けるように構成し得る。同様に、紐３４０は、複数のストラップ部材１３６を反対方向に移動させて、外側縁部１３３および内側縁部１３４をより離反し、アッパー１２０を弛緩させるようにも構成し得る。この構成により、紐３４０は、履物品１００の張力や足の収まりの少なくともいずれか一方を調整することを支援し得る。以下でより詳細に説明するように、位置感知アセンブリは、シャフト周りにどれくらいの紐が巻かれるか、という制御を支援し得る。
【００２６】
いくつかの実施形態において、紐３４０は、該紐３４０の動きが複数のストラップ部材１３６に伝わるように、ストラップ部材１３６に接続または繋がれ得る。例えば、紐３４０は、レーシング領域１３２を横切って延びる紐３４０の部分を複数のストラップ部材１３６の各ストラップ部材に取り付けるために、接着剤または他の適切な機構を用いて、接着、縫合、融合、または取り付け得る。この構成では、テンショニングシステム３００を介して紐３４０に張力が加えられてレーシングシステム１３０を締め付けたり弛緩させたりすると、紐３４０はストラップ部材１３６を開位置または閉位置の間で移動させ得る。
【００２７】
いくつかの実施形態において、紐３４０は、様々なレーシングガイド領域３４２を通過するように構成可能であり、該レーシングガイド領域３４２は、紐３４０をアッパー１２０の部分を横切る。場合によっては、レーシングガイド３４０の端部は、レーシング領域１３２の外側縁部１３３と内側縁部１３４に隣接して終端し得る。いくつかの場合において、レーシングガイド領域３４２は、アッパー上の従来式のアイレットに同様の機能を提供し得る。特に、紐３４０が引っ張られ、すなわち締め付けられると、レーシング領域１３２は、一般に、アッパー１２０が足の周りに締め付けられるように収縮し得る。一実施形態において、レーシングガイド領域３４２は、アッパー１２０を形成する材料の層であって、なんらかの内部層すなわちライニングを含むものの間に、辿り得る、または、設けられ得る。
【００２８】
いくつかの実施形態において、レーシングガイド領域３４２を使用して、紐３４０を履物品１００のアッパー１２０の予め定められた構成に配置し得る。図３から図５を参照して、一実施形態において、紐３４０は、アッパー１２０の蛇行形状、すなわち交互に逆の横向き形状に設けられる。いくつかの他の実施形態において、紐３４０は、レーシングガイド領域３４２を介して、異なる構成で設けられ得る。
【００２９】
いくつかの実施形態において、テンショニングシステム３００は、リール部材３１０を含む。リール部材３１０は、テンショニングシステム３００のテンショニング装置３０２内の構成要素である。リール部材３１０は、紐３４０を巻き取ったりほどいたりして、テンショニングシステム３００を締め付けたり弛緩させたりするために、双方向に中心軸周りを回転するように構成される。
【００３０】
例示的な実施形態において、リール部材３１０は、中心軸に沿って延びるシャフト３１２と、シャフト３１２から半径方向外側に延びる複数のフランジとを有するリールまたはスプールである。複数のフランジは、各フランジの中心内に設けられたシャフト３１２を備えた略円形、すなわち円い形状を有し得る。フランジは、テンショニングシステム３００が締め付けられたり弛緩させられたりしたときに巻き付けている間、または巻き戻している間に、紐３４０が絡み合ったり鳥の巣状になったりしないように、紐３４０の巻き取り部分を分け、束ねてリール部材３１０に保つことを支援する。
【００３１】
例示的な実施形態において、リール部材３１０は、リール部材３１０のシャフト３１２に沿ってほぼ中間に位置する中央フランジ３２２を含み得る。中央フランジ３２２は、該中央フランジ３２２の対向面の間に延びる開口を形成する孔３３０を含み得る。孔３３０は、紐３４０を通すように構成される。図３に示すように、紐３４０は、中央フランジの一方の面から他方の反対側の面まで中央フランジ３２２の孔３３０を貫通する。この構成では、紐３４０の一部が中央フランジ３２２の両側に設けられ、紐３４０は、リール部材３１０に相互連結される。
【００３２】
一実施形態において、リール部材３１０は、シャフト３１２に少なくとも３つのフランジを含み得る。この実施形態において、リール部材３１０は、第１の端部フランジ３２０と、中央フランジ３２２と、第２の端部フランジ３２４とを含む。中央フランジ３２２は、第１の端部フランジ３２０と第２の端部フランジ３２４との間のシャフト３１２に沿って設けられる。第１の端部フランジ３２０と第２の端部フランジ３２４とは、中央フランジ３２２の両側のリール部材３１０の両端のシャフト３１２に設けられる。第１の端部フランジ３２０と第２の端部フランジ３２４の少なくともいずれか一方は、リール部材３１０に巻かれた紐３４０の一部を支え、該紐３４０の一部がリール部材３１０の端部から滑り落ちないようにし得るとともに、テンショニングシステム３００が締め付けられたり弛緩させられたりしている際には、その巻き付け中または巻き戻し中に、紐３４０が絡み合ったり鳥の巣状になったりしないようにし得る。
【００３３】
いくつかの実施形態において、テンショニングシステム３００のテンショニングアセンブリ３０２は、ソール構造体１１０のキャビティ１１２内に設けられ得る。ソール構造体１１０は、ソール構造体１１０の上面にあるアッパー１２０に隣接して設けられた上面１１１を含み得る。上面１１１は、ソール構造体１１０とアッパー１２０とを一緒に固定するために、アッパー１２０またはアッパー１２０の構成要素に直接的または間接的に取り付けられ、または接合され得る。ソール構造体１１０はまた、上面１１１の反対側に設けられた下面、すなわち着地面１１３を含み得る。着地面１１３は、ソール構造体１１０のアウトソールまたは他の構成要素であってもよく、ソール構造体１１０は、履物品１００が着用されたときに地面と接触するように構成される。
【００３４】
例示的な実施形態において、キャビティ１１２は、上面１１１から下面１１３に向かって窪むソール構造体の開口部である。テンショニングシステム３００のテンショニングアセンブリ３０２は、ソール構造体１１０の上方からキャビティ１１２内に挿入され得る。例示的な実施形態において、キャビティ１１２は、テンショニングアセンブリ３０２の直方体形状に対応する略直方体の形状を有する。さらに、キャビティ１１２は、テンショニングアセンブリ３０２がキャビティ１１２内にぴったりと嵌合するように、テンショニングアセンブリ３０２と同様のサイズおよび寸法を有し得る。この構成では、テンショニングアセンブリ３０２および関連する構成要素は、履物品１００が摩耗すると、下面１１３によって地面との接触から保護され得る。
【００３５】
ここで図４を参照して、ソール構造体１１０と、アッパー１２０と、レーシングシステム１３０と、テンショニングシステム３００とを含む履物品１００の分解図が示されている。この実施形態において、レーシングガイド領域３４２を通る紐３４０の構成は、内側側部１６の内側縁部１３４と、外側側部１８の外側縁部１３３との間のアッパー１２０のレーシング領域１３２を横切って交互に延びることが分かる。
【００３６】
さらに、紐３４０がテンショニングシステム３００を締め付けたり弛緩させたりし得ることを容易にするために、紐３４０の端部は、異なる場所でアッパー１２０に固定される。図４に示すように、第１のアンカー３４４は、紐３４０の一端を、アッパー１２０の踵領域１４のスロート開口部１４０の近くまたは近傍のアッパー１２０に固定し、第２のアンカー３４６は、紐３４０の他端を、前足領域１０の近くまたは近傍のアッパー１２０に固定する。第１のアンカー３４４と第２のアンカー３４６とは、アッパー１２０に取り付けまたは接合させることができ、結び目付け、接着、縫製、接着剤または他の形態の取り付けを含むが、これらに限定されないなんらかの適切な機構であってもよい。
【００３７】
図５は、リール部材３１０と、紐３４０と、位置感知アセンブリとを含むテンショニングシステム３００の構成要素の例示的な実施形態の分解図を示す。いくつかの実施形態において、テンショニングシステム３００は、テンショニングアセンブリ３０２を含み得る。該テンショニングアセンブリ３０２は、着用者の履物品１００の適合を固定し、調整し、手直しするために、紐３４０とストラップ部材１３６との少なくともいずれか一方を含むレーシングシステム１３０の構成要素の張力を調整するように構成される。テンショニングアセンブリ３０２は、紐またはストラップのようなテンショニング部材の張力を調整するためのなんらかの適切な装置であってもよく、上述の「自動レーシング事件」に記載されたなんらかの装置または機構を含み得る。
【００３８】
図５を参照して、テンショニングアセンブリ３０２のいくつかの構成要素が、ハウジングユニット３０４の一部の中に示されている。いくつかの実施形態において、ハウジングユニット３０４は、テンショニングアセンブリ３０２の構成要素の配置を最適化するように形作られ得る。一実施形態において、テンショニングアセンブリ３０２は、ほぼ直方体形状を有するハウジングユニット３０４を含む。しかし、ハウジングユニット３０４の形状および構成は、テンショニングシステム３００内で使用されるテンショニングアセンブリのタイプおよび構成に従って変更されてもよいことを理解されたい。
【００３９】
この実施形態において、テンショニングアセンブリ３０２は、モータ３５０に機械的に連結されたリール部材３１０を含む。いくつかの実施形態において、モータ３５０は、電気モータを含み得る。しかし、他の実施形態において、モータ３５０は、当技術分野で知られているあらゆる種類の非電気モータを含み得る。ＤＣモータ（永久磁石モータ、ブラシ付きＤＣモータ、ブラシレスＤＣモータ、スイッチドリラクタンスモータなど）、ＡＣモータ（例えば、摺動ロータ付きモータ、同期電気モータ、非同期電気モータ、誘導モータなど）、ユニバーサルモータ、ステッパーモータ、圧電モータ、および当技術分野で知られている他のあらゆる種類のモータを含む。
【００４０】
モータ３５０は、テンショニングアセンブリ３０２の１つ以上の構成要素を駆動するために使用され得るクランクシャフト３５２をさらに含み得る。例えば、歯車３５４は、リール部材３１０に機械的に連結されてもよく、モータ３５０のクランクシャフト３５２によって駆動され得る。この構成では、リール部材３１０は、モータ３５０と連通して設けられ、中心軸を中心として双方向に回転し得る。
【００４１】
参考のために、以下の詳細な説明は、中心軸周りの１つ以上の構成要素の回転方向を説明する際に、用語「第１の回転方向」および「第２の回転方向」を使用する。便宜上、第１の回転方向および第２の回転方向は、リール部材３１０のシャフト３１２の中心軸周りの回転方向を指し、概して逆向きの回転方向である。第１の回転方向は、シャフト３１２の第１の端部６００の視点から構成要素を見るとき、中心軸周りの構成要素の反時計回りの回転を指し得る。その場合、第２の回転方向は、同じ視点から構成要素を見るとき、中心軸を中心とした構成要素の時計回りの回転によって特徴付け得る。
【００４２】
いくつかの実施形態において、テンショニングアセンブリ３０２は、モータ３５０に電力を供給するための手段を含み得、該手段は、電源３６０を含む。電源３６０は、テンショニングアセンブリ３０２およびモータ３５０に電力を供給して制御するように構成された、バッテリおよび制御ユニット（図示せず）の少なくともいずれか一方を含み得る。電源３６０は、モータ３５０およびテンショニングシステム３０２に電力を供給するために使用され得る１つ以上のタイプのバッテリ技術の、あらゆる適切なバッテリであり得る。使用可能なあり得る電池技術の１つは、リチウムポリマー電池である。バッテリ（単数または複数）は、充電式または交換式のユニットが可能であり、平らなもの、円筒形のもの、コイン型のものとしてパッケージされる。加えて、バッテリは、単一の電池、または直列または並列の電池であってもよい。他の適切なバッテリおよび電源の少なくともいずれか一方を電源３６０に使用し得る。
【００４３】
図示の実施形態において、モータ３５０、電源３６０、リール部材３１０、クランクシャフト３５２、および歯車３５４は、すべて、テンショニングアセンブリ３０２内のこれらの構成要素のすべてを受け入れて保護するよう機能し得る制御ユニットまたは他の要素のような追加の構成要素とともに、ハウジングユニット３０４内に設けられる。しかし、他の実施形態において、これらの構成要素のうちのいずれか１つ以上を、アッパーとソール構造体の少なくともいずれか１つを含む履物品の他のいずれかの部分に配置し得る。
【００４４】
ハウジングユニット３０４は、開口部３０５を含み、該開口部３０５は、紐３４０がリール部材３１０に連結するために、テンショニングアセンブリ３０２に入ることを可能にする。上述のように、紐３４０は、リール部材３１０の中央フランジ３２２の孔３３０を挿通し、リール部材３１０と相互連結する。紐３４０が中央フランジ３２２の孔３３０を通って設けられる場合、紐３４０は、中央フランジ３２２の一方の側に位置する第１の紐部分５００と、中央フランジ３２２の反対側に位置する第２の紐部分５０２とを含み得る。このように、ハウジングユニット３０４の開口部３０５は、紐３４０の第１の紐部分５００および第２の紐部分５０２の両方が、テンショニングアセンブリ３０２のハウジングユニット３０４の内側のリール部材３１０のまわりに巻かれ、巻き戻されることを可能にする。
【００４５】
ここで図６を参照して、リール部材３１０の例示的な実施形態の拡大図が示されている。この実施形態において、リール部材３１０は、リール部材３１０の長手方向の長さに沿って第１の端部６００から第２の端部６０２まで延びる中心軸を有する。上述したように、リール部材３１０は、第１の回転方向にも反対の第２の回転方向にも中心軸周りを回転して、シャフト３１２の一部の周囲に紐３４０を巻くように、またはシャフト３１２の一部の周囲から紐３４０を巻き戻すように構成される。加えて、リール部材３１０は、ねじ６０３を含み得、該ねじ６０３は、第２の端部６０２に設けられており、該第２の端部６０２は、モータ３５０と連動するように、歯車３５４とクランクシャフト３５２の少なくともいずれか一方を含む、１つ以上の歯車アセンブリ構成要素と連結するように構成される。この構成により、モータ３５０は、リール部材３１０を第１の回転方向と第２の回転方向とに中心軸周りに回転させ得る。
【００４６】
いくつかの実施形態において、リール部材３１０は、第１の端部６００に設けられたリードねじ６０５を含み得る。以下により詳細に説明するように、リードねじ６０５は、位置感知アセンブリの一部であり得る。
【００４７】
いくつかの実施形態において、リール部材３１０のシャフト３１２の各部分は、シャフト３１２から離れて拡がる複数のフランジを参照しつつ記述し得る。例えば、第１のシャフト部６１０は、第１の端部フランジ３２０と中央フランジ３２２との間に延び、第２のシャフト部６１２は、第２の端部フランジ３２４と中央フランジ３２２との間に延びる。シャフト３１２はまた、第１の端部フランジ３２０から第１の端部６００まで延びる第３のシャフト部６１４と、第２の端部フランジ３２４から第２の端部６０２まで延びる第４のシャフト部６１６を含み得る。いくつかの実施形態において、ねじ６０３は、第４のシャフト部６１６に設けられてもよい。いくつかの実施形態において、リードねじ６０５は、第３のシャフト部６１４に設けられてもよい。
【００４８】
いくつかの実施形態において、複数のフランジの各々は、２つの対向する面を有し、該２つの対向する面は、リール部材３１０の対向する端部に向けられた表面を備える。例えば、第１の端部フランジ３２０は、シャフト３１２の第１の端部６００に向けられた面を有する外面６２０と、第２の端部６０２に向けられた面を有する反対の内面６２１とを有する。同様に、第２の端部フランジ３２４は、第２の端部６０２に向けられた面を有する外面６２５と、シャフト３１２の第１の端部６００に向けられた面を有する、反対の内面６２４とを有する。中央フランジ３２２は、第１の面６２２と反対側の第２の面６２３とを含む。中央フランジ３２２の第１の面６２２は、シャフト３１２の第１の端部６００に向けられる表面を有し、該表面は、第１の端部フランジ３２０の内面６２１に対向する。中央フランジ３２２の第２の面６２３は、シャフト３１２の第２の端部６０２に向けられる表面を有し、該表面は、第２の端部フランジ３２４の内面６２４に対向する。
【００４９】
例示的な実施形態において、中央フランジ３２２は、上述の孔３３０を含む。孔３３０は、中央フランジ３２２の第１の面６２２と第２の面６２３との間に延び、紐３４０が中央フランジ３２２の対向する側、すなわち両面の間に延びることを可能にする開口部を提供する。いくつかの実施形態において、中央フランジ３２２は、シャフト３１２から半径方向外側に延び、孔３３０は、中央フランジ３２２に設けられ、シャフト３１２から離間する。この実施形態において、孔３３０は、中央フランジ３２２の外周縁部に隣接して設けられる。異なる実施形態において、中央フランジ３２２の外周縁部と孔３３０の位置との間の距離は多様であってもよい。例えば、距離は、テンショニングアセンブリ３０２とモータ３５０の少なくともいずれか一方の回転速度に基づいて決定されてもよく、テンショニングシステム３００内の所望の張力に基づいて決定され得る。
【００５０】
図６に示すように、紐３４０が中央フランジ３２２の孔３３０を通って延びるとき、紐３４０は、中央フランジ３２２の一方の側に設けられた第１の紐部分５００と、中央フランジ３２２の反対側に設けられた第２の紐部分５０２とを含み得る。この実施形態において、第１の紐部分５００は、第１の面６２２に対応する中央フランジ３２２の側に設けられ、第２の紐部分５０２は、第２の面６２３に対応する中央フランジ３２２の側に設けられる。この構成により、紐３４０はリール部材３１０と相互に連結され得る。
【００５１】
以下でさらに説明するように、リール部材３１０は、第１の回転方向に回転して紐３４０を巻き、または第２の回転方向に回転して紐３４０を巻き戻し、それによって、テンショニングシステム３００を締め付け、または弛緩させるように動作し得る。例えば、自動操作または使用者の入力に基づくことを含み、リール部材３１０の回転を制御するために、モータ３５０と、テンショニングシステム３００に関連する制御ユニットとの少なくともいずれか一方を使用し得る。テンショニングシステム３００が締め付けられると、リール部材３１０は、回転し、紐３４０は、孔３３０において中央フランジ３２２に相互連結される。この回転により、第１の紐部分５００と第２の紐部分５０２とは、中央フランジ３２２が対向するシャフト３１２の部分に巻き付けられる。具体的には、第１の紐部分５００が第１のシャフト部６１０に巻き付けられ、第２の紐部分５０２が第２のシャフト部６１２に巻き付けられる。
【００５２】
この実施形態において、中央フランジ３２２の第１の面６２２と第１の端部フランジ３２０の内面６２１とは、第１のシャフト部６１０の端部の境界、すなわち壁として機能し、テンショニングアセンブリ３０２によって紐３４０を巻いたり巻き戻したりする際に、リール部材３１０の第１のシャフト部６１０に第１の紐部分５００を維持し続けることを補助する。同様に、中央フランジ３２２の第２の面６２３および第２の端部フランジ３２４の内面６２４は、第２のシャフト部６１２の端部の境界、すなわち壁として機能し、テンショニングアセンブリ３０２によって紐３４０を巻いたり巻き戻したりする際に、リール部材３１０の第２のシャフト部６１２に第２の紐部分５０２を維持し続けることを補助する。この構成では、第１の紐部分５００と第２の紐部分５０２を含む紐３４０は、テンショニングシステム３００の動作中に絡み合ったり、鳥の巣状になったりすることを防ぎ得る。
【００５３】
図７は、リール部材３１０の断面図を示し、テンショニングシステム３００内の紐３４０とリール部材３１０との相互連結を示す。この実施形態において、紐３４０の第１の紐部分５００は、中央フランジ３２２の第１の面６２４の表面の孔３３０を通って延び、紐３４０の第２の紐部分５０２は、中央フランジ３２２の反対側にある第２の面６２３の表面の孔３３０から外側に延びる。この構成では、紐３４０は、中央フランジ３２２の孔３３０を介してリール部材３１０に相互連結され、リール部材３１０が中心軸周りに回転すると、第１の紐部分５００が第１のシャフト部６１０に、第２の紐部分５０２が第２のシャフト部６１２の周りに、それぞれ巻き付けられるようにする。
【００５４】
いくつかの実施形態において、テンショニングシステム３００は、少なくとも締め付け状態と弛緩状態との間で制御されるように動作し得る。しかし、異なる実施形態において、テンショニングシステム３００は、完全に締め付けた状態と完全に弛緩した状態との間にわたる張力の様々な程度、すなわち締め付け量に置かれるように制御され得ることを理解されたい。加えて、テンショニングシステム３００は、予め定められた張力設定、あるいは使用者が規定する張力設定を含み得る。テンショニングシステム３００が締め付け状態にあるかどうか、弛緩状態にあるかどうか、または締め付け状態と弛緩状態との間の状態にあるかどうかを決定するために、位置感知アセンブリが使用され得る。図８および図９は、弛緩状態（図８）と締め付け状態（図９）との間で操作されるテンショニングシステム３００の例示的な実施形態を示す。テンショニングアセンブリ３０２を使用してテンショニングシステム３００を締め付けたり弛緩させたりする方法は、テンショニングシステム３００を締め付け状態から弛緩状態に弛緩させるために逆の順序で実行されてもよいことを理解されたい。図１０から図１３は、光感知ユニット５２０を使用して表示タブ５１０の位置を検知する位置感知アセンブリの例示的な実施形態を示す。表示タブ５１０の位置は、テンショニングシステム３００の状態を示し得る。
【００５５】
図８を参照して、同図は、弛緩状態のテンショニングシステム３００の例示的な実施形態が示す。この実施形態において、着用者の足８００は、最初に弛緩状態にあるテンショニングシステム３００を備えた履物品１００に挿入される。弛緩状態では、レーシングシステム１３０と複数のストラップ部材１３６とは、足８００をアッパー１２０の内部空隙内に入れることができるように、解放されており、開位置にある。紐３４０は、レーシングシステム１３０のストラップ部材１３６に接続され、また、リール部材３１０の中央フランジ３２２の孔３３０を挿通することによって、テンショニングアセンブリ３０２のリール部材３１０に相互連結される。この構成では、リール部材３１０の一部の周りに紐３４０を巻くことにより、紐３４０に張力が生じ、レーシングシステム１３０の複数のストラップ部材１３６を閉位置に引っ張り、テンショニングシステム３００が締め付け状態のときに、足８００のまわりのアッパー１２０を締め付ける。
【００５６】
図９は、締め付け状態にあるシステム３００の例示的な実施形態を示す。この実施形態において、テンショニング装置３０２は、リール部材３１０を中心軸周りに第１の回転方向（例えば、反時計回り）に回転させて、紐３４０に張力を加え、テンショニングシステム３００を締め付ける。紐３４０と孔３３０を通る中央フランジ３２２との相互連結により、リール部材３１０が第１の回転方向に回転すると、第１の紐部分５００は、第１のシャフト部６１０の周りに巻き付けられ、第２の紐部分５０２が第２のシャフト部６１２の周りに巻き付く。張力は、紐３４０に加えられ、紐３４０から複数のストラップ部材１３６に伝達されて、テンショニングシステム３００が締め付け状態にあるときに、レーシングシステム１３０を閉位置に移動させて、足８００の周りにアッパー１２０を固定する。
【００５７】
同様に、上述した図８に示しているように、リール部材３１０の回転を反対の第２の回転方向にして、シャフト３１２の一部から紐３４０を巻き戻し、テンショニングシステム３００を弛緩状態に戻し得る。加えて、いくつかの実施形態において、リール部材３１０の第２の回転方向への回転は、モータ３５０によって、紐３４０とストラップ部材１３６の少なくともいずれか一方または両方を手で引っ張る使用者によって、実行され得る。
【００５８】
例示的な実施形態において、第１の回転方向であれ、第２の回転方向であれ、そのいずれかまたは両方におけるリール部材３１０の回転により、紐３４０が、リール部材３１０のシャフト３１２の一部の周りに概ね等しく巻き付けられ、または、巻き戻される。すなわち、テンショニングシステム３００が締め付け状態にあるとき、第１のシャフト部６１０に巻き付けられた第１の紐部分５００の量および第２のシャフト部６１２に巻き付けられた第２の紐部分５０２の量は、中央フランジ３２２の両側でほぼ等しくなる。同様に、紐３４０をリール部材３１０から巻き戻す際、テンショニングシステム３００が締め付け状態から弛緩状態に置かれたとき、紐３４０の概ね等しい部分が中央フランジ３２２の両側から解かれる。すなわち、第１のシャフト部６１０から巻き戻されたまたは巻き出された第１の紐部分５００の量と、第２のシャフト部６１２から巻き戻されまたは巻き出された第２の紐部分５０２の量とは、ほぼ等しい。
【００５９】
どのくらいの紐がシャフト周りに巻かれるかを制御するために、位置感知アセンブリがテンショニングシステムに含まれ得る。図５、ならびに、図１０から図１３を参照して、テンショニングシステム３００は、位置感知アセンブリを有するものとして示されている。いくつかの実施形態において、位置感知アセンブリは、シャフトを含み得る。例えば、位置感知アセンブリは、第３のシャフト部６１４を含み得る。位置感知アセンブリのシャフトは、シャフト３１２の残余の部分と同じ回転軸周りに回転するように構成され得る。いくつかの実施形態において、シャフトは、シャフト３１２の残余の部分と一体であってもよい。他の実施形態において、シャフトは、シャフト３１２と第１の端部フランジ３２０の少なくともいずれか一方に接続された別部品であってもよい。いくつかの実施形態において、位置感知アセンブリのシャフトはリードねじであってもよい。例えば、図５から図１３に示す位置感知アセンブリは、リードねじ６０５を含む。
【００６０】
いくつかの実施形態において、位置感知アセンブリは、表示タブを含み得る。例えば、位置感知アセンブリは、表示タブ５１０を含み得る。いくつかの実施形態において、位置感知アセンブリは、光感知ユニット５２０を含み得る。
【００６１】
いくつかの実施形態において、表示タブ５１０は、リードねじ６０５を受け入れるように構成された通路１３００を有し得る。通路１３００は、リードねじ６０５のねじ山と螺合可能なねじ山をさらに含み得る。表示タブ５１０の外部は、第１の光センサ５４０と第２の光センサ５５０とが以下に説明する方法で表示タブ５１０を検出することを可能にするなんらかの幾何学的形状を有し得る。例えば、いくつかの実施形態において、図５および図１０から図１３に示すように、表示タブ５１０の外面は、直方体の形状を有し得る。別の例では、他の実施形態において、表示タブの外面は、円弧状、三角形状、または四角形状を有し得る。
【００６２】
いくつかの実施形態において、表示タブ５１０は、表示タブ５１０の通路１３００を含む部分から離れて延びる第１の部分１２０２を含み得る。図１３に示すように、第１の部分１２０２は、高さＨ１を有し得る。高さＨ１は、リードねじ６０５からの干渉なしに、光感知ユニット５２０が表示タブ５１０を検出するために十分な距離だけ第１の部分１２０２がリードねじ６０５を越えて延びるように選択され得る。光感知ユニット５２０によって検出された表示タブ５１０の一部は、検出可能な領域であってもよい。いくつかの実施形態において、通路１３００を含む表示タブ５１０の一部は、第１のユニットであってよく、また第１の部分１２０２は、前記第１のユニットに取り付けられた第２のユニットであってもよい。例えば、いくつかの実施形態において、通路を含む表示タブの一部は、ナットであってもよく、表示タブの第１の部分は、前記ナットから延びるフラグ、タブ、または他の物であってもよい。いくつかの実施形態において、表示タブは、ナットであってもよい。
【００６３】
表示タブ５１０は、ねじ付き通路１３００を含む表示タブ５１０の一部から離れて延びる第２の部分１２０４を含み得る。図１３に示すように、第２の部分１２０４は、高さＨ２を有し得る。以下により詳細に説明する理由により、高さＨ２は、表示タブ５１０の表面１２０６がハウジングユニット３０４の底面５１０に接触するのに十分な距離だけ、リードねじ６０５を越えて第２の部分１２０４が延びるように選択され得る。
【００６４】
いくつかの実施形態において、第２の部分１２０４は、検出可能領域であるとともにハウジングユニット３０４の表面に接触する部分であり得る。換言すれば、光感知ユニット５２０は、第１の部分１２０２の代わりに第２の部分１２０４を検出するように配置し得る。例えば、光感知ユニットは、図１３に示している光感知ユニット５２０の場合よりも、表面５６０の近くに配置し得る。より具体的な例では、光感知ユニットは、表面５６０と接触し得る。第２の部分１２０４が検知可能な領域である実施形態において、高さＨ１は、リードねじ６０５からの干渉なしに光感知ユニット５２０が表示タブ５１０を検出するのに十分な距離より第２の部分１２０４が短く延びるように選択され得る。加えて、そのような実施形態において、高さＨ２は、リードねじ６０５からの干渉なしに、光感知ユニット５２０が表示タブ５１０を検出するのに十分な距離だけ、リードねじ６０５を越えて第２の部分１２０４が延びるように選択され得る。
【００６５】
光感知ユニット５２０は、ある物体が在ることを２つの異なる位置において検出することが可能であるとともに、物体が第１の位置にあるときと物体が第２の位置にあるときとを区別可能なあらゆる種類の光感知ユニットであり得る。例えば、光感知ユニット５２０は、第１の位置（図１０）を検出可能な第１の光センサ５４０と、第２の位置（図１１）を検出可能な第２の光センサ５５０とを含み得る。第１の光センサ５４０と第２の光センサ５５０は、物体が在ることを検出し得る。より具体的には、第１の光センサ５４０と第２の光センサ５５０は、表示タブ５１０が在ることを検出し得る。いくつかの実施形態において、第１の光センサ５４０は、該第１の光センサが第１の位置にある表示タブ５１０が在ることを検出できるように位置決めされ、指向され得る。例えば、図１３に示すように、第１の光センサ５４０は、表示タブ５１０が第１の位置にあるとき、第１の光センサ５４０が表示タブ５１０の検知可能領域を検出できるように、表示タブ５１０と垂直に位置合わせされ得る。いくつかの実施形態において、第２の光センサ５５０は、第２の光センサ５５０が第２の位置の表示タブ５１０が在ることを検出できるように位置決めされ、指向され得る。例えば、第２の光センサ５５０は、表示タブ５１０が第１の位置にあるとき、第２の光センサ５５０が表示タブ５１０の検知可能領域を検出できるように、表示タブ５１０と垂直に位置合わせされ得る。いくつかの実施形態において、図１０および図１１に示すように、第１の光センサ５４０は、第２の光センサ５５０が設けられた光感知ユニット５２０と同じ面に設けられ得る。このような構成では、第１の光センサ５４０と第２の光センサ５５０を並置し得る。例えば、いくつかの実施形態において、第１の光センサ５４０は、第２の光センサ５５０と垂直に位置合わせされ得る。第１の光センサ５４０と第２の光センサ５５０との間の間隔については、動作光感知ユニット５２０とともに後述する。光感知ユニット５２０は、物体が第１の位置にあるときと物体が第２の位置にあるときの間を区別するよう構成され得る。例えば、光感知ユニット５２０は、物体が第１の位置にあるときと、物体が第２の位置にあるときとを区別するようにプログラムされたプロセッサに接続され得る。
【００６６】
次に、位置感知アセンブリの動作の例示的な実施形態を説明する。第３のシャフト部６１４は、シャフト３１２の残余の部分と同じ回転軸周りを回転し得るので、第３のシャフト部６１４は、シャフト３１２が回転するのと同じ回数だけ回転し得る。したがって、第３のシャフト部６１４の回転は、シャフト３１２の回転に対応する。第３のシャフト部６１４が回転する間、ハウジングユニット３０４の表面５６０と表示タブ５１０の底面１２０６との間の接触は、表示タブ５１０がシャフト３１２と連れ回りすることを阻止し得る。第３のシャフト部６１４が回転すると、表示タブ５１０とねじ６０５との螺合は、ハウジングユニット３０４の表面５６０と表示タブ５１０の底面１２０６とが接触していることと相俟って、表示タブ５１０がねじ６０５に沿って直線状に第１の直線方向と、第１の直線方向とは反対の第２の直線方向との双方に進行させる。第１の直線方向は、中央フランジ３２２と第１の端部フランジ３２０との双方から離れる方向に指向し得る。第２の直線方向は、中央フランジ３２２と第１の端部フランジ３２０との双方に対向するように指向し得る。表示タブ５１０は、第１の位置（図１０）と第２の位置（図１１）との間でねじ６０５に沿って直線状に移動し得る。表示タブ５１０は、ねじ６０５に沿って第１の直線方向に第１の位置まで直線状に移動する（図１０）。表示タブ５１０は、ねじ６０５に沿って第２の直線方向に第２の位置に向かって直線状に移動する（図１１）。
【００６７】
図１０は、第１の位置にある表示タブ５１０を示す。表示タブ５１０は、表示タブ５１０が第１の直線方向に移動し得る限り、第１の位置に設けられる。いくつかの実施形態において、ハウジングユニット３０４の表面５７０は、表示タブ５１０がシャフト３１２の端部６００から抜け出して第１の直線方向にさらに移動することを防止し得る。
【００６８】
図１１は、第２の位置にある表示タブ５１０を示す。表示タブ５１０は、表示タブ５１０が第２の直線方向に移動し得る限り、第２の位置に設けられる。いくつかの実施形態において、ねじ山がないこと、および、膨出領域６４０のより大きな直径があること、の少なくともいずれか一方は、表示タブ５１０が第２の直線方向にさらに移動することを防止し得る。例示的な実施形態は、第３のシャフト部６１４の膨出領域６４０を示しているが、表示タブ５１０が第２の直線方向にさらに移動することを防ぐために、膨出領域が設けられている場所にナットまたは他の物体を配置してもよいことが理解される。いくつかの実施形態において、膨出領域６４０を省略してもよく、その場合、第１の端部フランジ３２０は、表示タブ５１０が第２の直線方向にさらに移動することを防止し得る。
【００６９】
第３のシャフト部６１４の直径、第３のシャフト部の長さ、およびねじ特性（例えば、ねじ山の角度、ねじ山のピッチ、および単位距離当たりのねじ山の数の少なくともいずれか１つ）の少なくともいずれか１つは、テンショニングシステム３００の弛緩状態と締め付け状態に対応させて選択し得る。したがって、いくつかの実施形態において、図１０に示す表示タブ５１０の第１の位置は、図８に示すテンショニングシステム３００の完全弛緩状態に対応してもよい。さらに、いくつかの実施形態において、図１１に示す表示タブ５１０の第２の位置は、図９に示すテンショニングシステム３００の完全締め付け状態に対応し得る。このように、ねじ６０５に沿った表示タブ５１０の位置は、紐３４０の相対的な張力を示し得る。図１０と図１１は、表示タブ５１０の最も際立った位置を示しているが、表示タブ５１０は、テンショニングシステム３００の異なる度合いの張力を示す第１の位置と第２の位置との間の位置を有し得ることが理解される。
【００７０】
図１０から図１３は、光感知ユニット５２０がリードねじ６０５上に設けられた表示タブ５１０の位置をどのように検出するかを含む、光感知ユニット５２０の動作を示す。表示タブ５１０が第１の位置に設けられると、第１の光センサ５４０は、表示タブ５１０が在ることを検出し得る一方、第２の光センサ５５０は、表示タブ５１０が在ることを検出し得ない。言い換えれば、表示タブ５１０が在ることを検出する第１の光センサ５４０と表示タブ５１０が無いことを検出する第２の光センサ５５０との状態は、表示タブ５１０が第１の位置にあり、テンショニングシステム３００が弛緩状態にあることを示し得る。
【００７１】
いくつかの実施形態において、表示タブ５１０が第２の位置に設けられると、第１の光センサ５４０は、表示タブ５１０が在ることを検出し得ず、第２の光センサ５５０は、表示タブ５１０が在ることを検出し得る。言い換えれば、表示タブ５１０が無いことを検出する第１の光センサ５４０と表示タブ５１０が在ることを検出する第２の光センサ５５０との状態は、表示タブ５１０が第２の位置にあり、テンショニングシステム３００が締め付け状態にあることを示し得る。いくつかの実施形態において、表示タブ５１０の幅Ｗと、第１の光センサ５４０と第２の光センサ５５０との間の距離の少なくともいずれか一方は、第１の位置および第２の位置が上述のように検出されるように選択され得る。いくつかの実施形態において、表示タブ５１０の幅Ｗと、第１の光センサ５４０と第２の光センサ５５０との間の距離の少なくともいずれか一方は、第１の光センサ５４０と第２の光センサ５５０とが同時に表示タブ５１０が在ることを検出不能に選択し得る。いくつかの実施形態において、第１の光センサ５４０は、表示タブ５１０が第２の位置にあるとき、表示タブ５１０が第１の光センサ５４０の視線から外れるように、表示タブ５１０に対して配置または指向され得る。いくつかの実施形態において、第２の光センサ５５０は、表示タブ５１０が第１の位置にあるとき、表示タブ５１０が第２の光センサ５５０の視線から外れるように、表示タブ５１０に対して配置または指向され得る。
【００７２】
他の実施形態において、表示タブ５１０の幅Ｗと、第１の光センサ５４０と第２の光センサ５５０との間の距離の少なくともいずれか一方は、第１の光センサ５４０と第２の光センサ５５０とが同時に表示タブ５１０が在ることを検出可能に選択し得る。そのような実施形態において、第１の光センサ５４０と第２の光センサ５５０の両方が同時に表示タブ５１０の存在を検出する状態は、表示タブ５１０が、第１の位置と第２の位置との間のところに位置し、そのため、テンショニングシステム３００は、締め付け状態と弛緩状態の間の状態にあるということを示し得る。いくつかの実施形態において、第１の光センサ５４０と第２の光センサ５５０とはそれぞれ、各々のセンサを特定の方向に向けるように揺動し得る。
【００７３】
表示タブ５１０の第１の位置を検出することによって、位置感知アセンブリは、紐がシャフト周りに巻き付けられているときと、巻き付けられていないときとを示す状態を検出し得る。これらの状態を検出することは、シャフト３１２の回転がいつ停止すべきかを判定することを支援し得る。シャフト３１２がいずれの紐にもないときにシャフト３１２を回転させないようにすることは、紐３４０が以前に巻いた回転方向とは反対の回転方向に紐３４０がシャフト３１２の周りに巻き始めることを防止し得る。シャフト３１２がいずれの紐にもないとき、シャフト３１２の回転を停止することは、紐を最弛緩状態にし得る。換言すれば、より少ない紐がシャフト３１２にあることは、より多くの紐がアッパー１２０の内側縁部１３４と外側縁部１３３との間に位置することを意味する。その結果、内側縁部１３４と外側縁部１３３とは、紐３４０がシャフト３１２から解かれるにつれて、さらに離間して設けられ得る。シャフト３１２にある紐が多くなればなるほど、内側縁部１３４と外側縁部１３３との間に位置する紐３４０の割合は少なくなる。その結果、紐３４０がシャフト３１２の周りに巻かれるにつれて、内側縁部１３４と外側縁部１３３とは、互いに近づき得る。一実施形態において、紐３４０は、より詳細に既述したが、レーシングシステム１３０の複数のストラップ部材１３６を動かし、レーシング領域１３２において対向する外側縁部１３３と内側縁部１３４とを互いに近づけて、アッパー１２０を締め付けるように構成し得る。
【００７４】
図１４は、例示的な実施形態において、テンショニングシステムと物品の少なくともいずれか一方を製造するためのフローチャートである。このフローチャートは、テンショニングシステム３００と履物品１００の少なくともいずれか一方に利用され得るが、同様に、あらゆる適切なシステム、物品、またはデバイスを製造するためにも利用され得る。
【００７５】
ステップ１４００において、リードねじがシャフトの第２の端部からリール部材まで延び、リール部材は中心軸周りに回転するように構成され、前記シャフトが第２の端部に対向する第１の端部を有し、前記リードねじが中心軸周りに回転するように構成される。リードねじは、中心軸周りに回転するように構成された第１の組のねじ山と、リードねじに取り付けられた表示タブとを含み、リードねじが中心軸周りを回転するときに、表示タブがリードねじに沿ってリードねじの第１の位置からリードねじの第２の位置まで直線状に移動できるようにする。一例では、表示タブを延ばすことは、表示タブを貫通する通路の第２の組のねじ山をリードねじの第１の組のねじ山に螺合させることと、表示タブが第１の位置にあるときには第１の光センサによって検出され、表示タブが第２の位置にあるときには第２の光検出器によって検出されるように、表示タブの第１の部分を通路から離反して延びるよう位置決めすることとを備える。
【００７６】
一例において、表示タブを延ばすことは、表示タブの第２の部分を、第１の部分の反対側に通路から離反するように延ばすことを含む。一例において、第２の部分を延ばすことは、第２の部分をハウジングユニットの表面に接触させて、表面がリードねじの回転に連動して表示タブを回転させないようにすることを含む。
【００７７】
ステップ１４０２において、光感知ユニットは、リードねじに隣接して設けられ、第１の位置および第２の位置のうちの１つにおいて表示タブの位置を検出するように構成される。一例では、リール部材は、光感知ユニットによって検知された際の表示タブの位置に少なくとも部分的に基づいて、シャフト周りに紐を巻き付けることによってテンショニングシステムを締め付けるように構成される。一例では、リードねじ、リール部材、表示タブ、および光感知ユニットは、テンショニングシステムを形成する。
【００７８】
ステップ１４０４において、光感知ユニットを配置することは、第１の位置にある表示タブを検出するために第１の光センサを位置決めすることをさらに含む。一例では、光感知ユニットを位置決めすることは、第２の位置にある表示タブを検出しないように第１の光センサを位置決めすることを含む。一例では、第１の光センサを位置決めすることは、表示タブが第１の位置にあるときに第１の光センサが第２の部分を検出できるように第１の光センサを位置決めすることを含む。
【００７９】
ステップ１４０６において、光感知ユニットを配置することは、第２の位置にある表示タブを検出するために第２の光センサを位置決めするステップをさらに含む。一例では、光感知ユニットを配置するステップは、第１の位置にある表示タブを検出しないように第２の光センサを位置決めするステップを備える。
【００８０】
ステップ１４０８において、履物品は、アッパーをソール構造に固定し、アッパーとソール構造の少なくとも一方に対してテンショニングシステムを固定することによって形成される。
【００８１】
態様例
例１における履物品は、アッパーと、アッパーに取り付けられたソール構造と、アッパーおよびソール構造のうちの１つの中に設けられたテンショニングシステムとを含み、テンショニングシステムは、中心軸周りに回転するように構成されたリール部材であって、第１の端部から第１の端部に対向する第２の端部まで延びるシャフトを有する、リール部材と、シャフトの第２の端部から延び、第１の組のねじ山を有するリードねじであって、中心軸周りに回転するように構成される、リードねじと、リードねじが中心軸周りを回転するときに、表示タブがリードねじに沿ってリードねじの第１の位置からリードねじの第２の位置まで直線状に移動できる、リードねじに装着される表示タブと、リードねじに隣接して設けられ、第１の位置および第２の位置のうちの１つにおいて表示タブの位置を検出するように構成された光感知ユニットとを含み、リール部材は、光感知ユニットによって検出された表示タブの位置に少なくとも部分的に基づいて、シャフト周りに紐を巻き付けることによってテンショニングシステムを締め付けるように構成される。
【００８２】
例２において、例１の履物品は、選択的に、第１の位置で表示タブを検出するように位置決めされた第１の光センサと、第２の位置にある表示タブを検出するように位置決めされた第２の光センサとをさらに含む。
【００８３】
例３において、例１および例２のいずれか１つ以上の履物品は、選択的に、第１の光センサが第２の位置にある表示タブを検出しないように位置決めされることをさらに含む。
例４において、例１から例３のいずれか１つ以上の履物品は、選択的に、第２の光センサが第１の位置にある表示タブを検出しないように位置決めされることをさらに含む。
【００８４】
例５において、例１から例４のいずれか１つ以上の履物品は、選択的に、表示タブが、表示タブを貫通し、リードねじの第１の組のねじ山と螺合する第２の組のねじ山を有する通路と、通路から離反して延びるとともに、表示タブが第１の位置にあるときに第１の光センサによって検出され、かつ、表示タブが第２の位置にあるときに第２の光検出器によって検出されるように位置決めされる第１の部分とを備えることをさらに含む。
【００８５】
例６において、例１から例５のいずれか１つ以上の履物品は、選択的に、表示タブが、通路から第１の部分の反対側に延びる第２の部分を含むことをさらに含む。
例７において、例１から例６のいずれか１つ以上の履物品は、選択的に、第２の部分をハウジングユニットの表面に接触させて、表面がリードねじの回転に連動して表示タブを回転させないようにすることをさらに含む。
【００８６】
例８において、例１から例７のいずれか１つ以上の履物品は、選択的に、表示タブが第１の位置にあるときには、第１の光センサが第２の部分を検出できるように第１の光センサが設けられることをさらに含む。
【００８７】
例９において、例１から例８のいずれか１つ以上の履物品は、選択的に、表示タブが第１の位置にあるときにはリードねじの終端に配置されるとともに、表示タブが第２の位置にあるときにはリードねじの終端よりもシャフトの第２の端部の近傍に配置されることをさらに含む。
【００８８】
例１０において、例１から例９のいずれか１つ以上の履物品は、選択的に、表示タブが、シャフトの第２の端部から最も遠いリードねじ上の地点に配置されるときには、表示タブは第１の位置にあることをさらに含む。
【００８９】
例１１において、例１から例１０のいずれか１つ以上の履物品は、選択的に、表示タブが、シャフトの第２の端部に最も近いリードねじ上の地点に配置されるときには、表示タブは第２の位置にあることをさらに含む。
【００９０】
例１２において、例１から例１１の１つ以上の履物品は、選択的に、第１の位置が、テンショニングシステムが弛緩状態にあることを示すとともに、第２の位置が、テンショニングシステムが締め付け状態にあることを示すことをさらに含む。
【００９１】
例１３において、例１から例１２の１つ以上の履物品は、選択的に、光感知ユニットが、第１の位置で表示タブを検出するように位置決めされた第１の光センサを備えることをさらに含む。
【００９２】
例１４において、例１から例１３のいずれか１つ以上の履物品は、選択的に、光感知ユニットが、第２の位置で表示タブを検出するように位置決めされた第２の光センサを備えることをさらに含む。
【００９３】
例１５におけるテンショニングシステムは、中心軸周りに回転するように構成されたリール部材であって、第１の端部から第１の端部に対向する第２の端部まで延びるシャフトを有する、リール部材と、シャフトの第２の端部から延び、第１の組のねじ山を有するリードねじであって、中心軸周りに回転するように構成される、リードねじと、リードねじが中心軸周りを回転するにつれて、リードねじに沿ってリードねじ上の第１の位置からリードねじ上の第２の位置まで直線状に移動できるように、リードねじ上に装着される表示タブと、リードねじに隣接して設けられ、第１の位置と第２の位置のうちの一方において表示タブの位置を検出するように構成された光感知ユニットと、を備え、リール部材は、光感知ユニットによって検出された際の表示タブの位置に少なくとも部分的に基づいて、シャフト周りに紐を巻き付けることによって締め付けられるように構成される。
【００９４】
例１６において、例１５のテンショニングシステムは、選択的に、光感知ユニットが、第１の位置で表示タブを検出するように位置決めされた第１の光センサと、第２の位置にある表示タブを検出するように位置決めされた第２の光センサとを含むことをさらに備える。
【００９５】
例１７において、例１５および例１６のいずれか１つ以上のテンショニングシステムは、選択的に、第１の光センサが第２の位置の表示タブを検出しないように位置決めされていることをさらに含む。
【００９６】
例１８において、例１５から例１７のいずれか１つ以上のテンショニングシステムは、選択的に、第２の光センサが、第１の位置の表示タブを検出しないように位置決めされていることをさらに含む。
【００９７】
例１９において、例１５から例１８のいずれか１つ以上のテンショニングシステムは、選択的に、表示タブが、表示タブを貫通し、リードねじの第１の組のねじ山と螺合する第２の組のねじ山を有する通路と、通路から離反して延びるとともに、表示タブが第１の位置にあるときに第１の光センサによって検出され、かつ、表示タブが第２の位置にあるときに第２の光検出器によって検出されるように位置決めされる第１の部分とを備えることをさらに含む。
【００９８】
例２０において、例１５から例１９のいずれか１つ以上のテンショニングシステムは、選択的に、表示タブが、通路から第１の部分の反対側に延びる第２の部分を備えることをさらに含む。
【００９９】
例２１において、例１５から例２０のいずれか１つ以上のテンショニングシステムは、選択的に、ハウジングユニットの表面が表示タブのリードねじとの連れ回りを規制するように、第２の部分が表面に接触することをさらに含む。
【０１００】
例２２において、例１５から例２１のいずれか１つ以上のテンショニングシステムは、選択的に、第１の光センサが、表示タブが第１の位置にあるときには第１の光センサが第２の部分を検出できるように位置決めされることをさらに含む。
【０１０１】
例２３において、例１５から例２２のいずれか１つ以上のテンショニングシステムは、選択的に、表示タブが、第１の位置にあるときには、リードねじの終端に配置され、表示タブが、第２の位置にあるときには、リードねじの終端よりもシャフトの第２の端部の近傍に配置されることをさらに含む。
【０１０２】
例２４では、例１５から例２３のいずれか１つ以上のテンショニングシステムは、選択的に、表示タブが、シャフトの第２の端部から最も遠いリードねじ上の地点に配置されるときには、表示タブは第１の位置にあることをさらに含む。
【０１０３】
例２５において、例１５から例２４のいずれか１つ以上のテンショニングシステムは、選択的に、表示タブが、シャフトの第２の端部に最も近いリードねじ上の地点に配置されるときには、表示タブは第２の位置にあることをさらに含む。
【０１０４】
例２６において、例１５から例２５のいずれか１つ以上のテンショニングシステムは、選択的に、第１の位置が、テンショニングシステムが弛緩状態にあることを示すとともに、第２の位置は、テンショニングシステムが締め付け状態にあることを示すことをさらに含む。
【０１０５】
例２７において、例１５から例２６のいずれか１つ以上のテンショニングシステムは、選択的に、光感知ユニットが、第１の位置で表示タブを検出するように位置決めされた第１の光センサを備えることをさらに含む。
【０１０６】
例２８において、例１５から例２７のいずれか１つ以上のテンショニングシステムは、選択的に、光感知ユニットが、第２の位置で表示タブを検出するように位置決めされた第２の光センサを備えることをさらに含む。光感知ユニットが、第２の位置の表示タブを検出するように位置決めされた第２の光センサを備えることをさらに含む。
【０１０７】
例２９における方法は、リール部材のシャフトの第２の端部からリードねじを延ばすステップであって、リール部材は、中心軸周りに回転するように構成され、シャフトは、第２の端部に対向する第１の端部を有し、リードねじは、中心軸周りに回転するように構成され、かつ、リードねじは、中心軸周りを回転するよう構成される第１の組のねじ山と、リードねじが中心軸周りを回転するにつれて、当該リードねじに沿って当該リードねじの第１の位置から当該リードねじの第２の位置まで直線状に移動できるように、リードねじ上に装着される表示タブと、を含む、リードねじを延ばすステップと、リードねじに隣接して、第１の位置と第２の位置のうちの一方において表示タブの位置を検出するように構成された光感知ユニットを設けるステップと、を備え、リール部材は、光感知ユニットによって検知された際の表示タブの位置に少なくとも部分的に基づいて、シャフト周りに紐を巻き付けることによってテンショニングシステムを締め付けるように構成される。
【０１０８】
例３０において、例２９の方法は、選択的に、光感知ユニットを配置するステップは、第１の位置で表示タブを検出する第１の光センサを位置決めするステップと、第２の位置にある表示タブを検出する第２の光センサを位置決めするステップと、を備えることをさらに含む。
【０１０９】
例３１において、例２９および例３０のいずれか１つ以上の方法は、選択的に、光感知ユニットを配置するステップが、第２の位置にある表示タブを検出しないように第１の光センサを位置決めするステップを備えることをさらに含む。
【０１１０】
例３２において、例２９から３１のいずれか１つ以上の方法は、選択的に、光感知ユニットを配置するステップが、第１の位置にある表示タブを検出しないように第２の光センサを位置決めするステップを備えることをさらに含む。
【０１１１】
例３３において、例２９から３２のいずれか１つ以上の方法は、選択的に、表示タブを延ばすステップが、表示タブを貫通する通路の第２の組のねじ山をリードねじの第１の組のねじ山に螺合させるステップと、表示タブが第１の位置にあるときには第１の光センサによって検出され、表示タブが第２の位置にあるときには第２の光検出器によって検出されるように、通路から離反して延びる、表示タブの第１の部分を位置決めするステップと、を備えることをさらに含む。
【０１１２】
例３４において、例２９から例３３のいずれか１つ以上の方法は、選択的に、表示タブを延ばすステップは、第１の部分の反対側へ通路から離反するように表示タブの第２の部分を、延ばすことを備えることをさらに含む。
【０１１３】
例３５において、例２９から例３４のいずれか１つ以上の方法は、選択的に、第２の部分を延ばすステップは、ハウジングユニットの表面が表示タブのリードねじとの連れ回りを規制するように、第２の部分が表面に接触することをさらに含む。
【０１１４】
例３６において、例２９から例３５のいずれか１つ以上の方法は、選択的に、第１の光センサを位置決めするステップが、表示タブが第１の位置にあるときには第１の光センサが第２の部分を検出できるように第１の光センサを位置決めするステップを備えることをさらに含む。
【０１１５】
例３７において、例２９から例３６のいずれか１つ以上の方法は、選択的に、光感知ユニットを配置するステップが、第１の位置で表示タブを検出する第１の光センサを位置決めするステップを備えることをさらに含む。
【０１１６】
例３８において、例２９から例３７のいずれか１つ以上の方法は、選択的に、光感知ユニットを配置するステップが、第２の位置にある表示タブを検出する第２の光センサを位置決めするステップを備えることをさらに含む。
【０１１７】
例３９において、例２９から３８のいずれか１つ以上の方法は、選択的に、リードねじと、リール部材と、表示タブと、光感知ユニットとは、テンショニングシステムを形成するものであり、アッパーをソール構造に固定し、アッパーとソール構造のうちの少なくとも一方に対してテンショニングシステムを固定することによって、履物品を形成するステップとをさらに備えることをさらに含む。
【０１１８】
例４０における方法は、第１の端部から第１の端部に対向する第２の端部まで延びるシャフトを有するリール部材を、中心軸周りに回転するように回転させるステップと、シャフトの第２の端部から延びるとともに第１の組のねじ山を有するリードねじに隣接して設けられた光感知ユニットによって、第１の位置と第２の位置との一方において表示タブの位置を検出するステップであって、リードねじは、中心軸周りに回転するように構成され、表示タブは、リードねじが中心軸周りを回転するにつれて、リードねじに沿ってリードねじの第１の位置からリードねじの第２の位置まで直線状に移動できるように前記リードねじ上に装着された表示タブの位置を検出するステップと、第１の位置と第２の位置のうちの一方において表示タブを検出したことに基づいてリール部材の回転を止めるステップと、を含む。
【０１１９】
本発明の様々な実施形態について説明したが、説明は限定ではなく例示的なものを意図しており、本発明の範囲内にあるより多くの実施形態および実施が可能であることは当業者には明らかであろう。したがって、本発明は、添付の特許請求の範囲およびその等価物に照らして制限されるものではない。また、添付の特許請求の範囲の範囲内で様々な修正および変更を行うことが可能である。
【図１】
2019512316.tif 000003
【図２】
2019512316.tif 000004
【図３】
2019512316.tif 000005
【図４】
2019512316.tif 000006
【図５】
2019512316.tif 000007
【図６】
2019512316.tif 000008
【図７】
2019512316.tif 000009
【図８】
2019512316.tif 000010
【図９】
2019512316.tif 000011
【図１０】
2019512316.tif 000012
【図１１】
2019512316.tif 000013
【図１２】
2019512316.tif 000014
【図１３】
2019512316.tif 000015
【図１４】
2019512316.tif 000016
【国際調査報告】
2019512316.tif 000017
2019512316.tif 000018
2019512316.tif 000019
2019512316.tif 000020